Podtech/llm-jp-corpus-v4-ja_patent huggingface dataset:
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
バレルおよび格納可能な針を含む格納可能な注射器用のプランジャであって、プランジャ部材と、プランジャ外側部と、１つ以上のロック部材とを備え、同１つ以上のロック部材のうち第１のロック部材は、プランジャ外側部に取り付けられるとともに、針回収後にプランジャ外側部およびバレルのうち少なくともいずれか一方に対するプランジャ部材の更なる移動を防止または妨害することができることを特徴とするプランジャ。
【請求項２】
前記第１のロック部材はロックバネを含むことを特徴とする請求項１に記載のプランジャ。
【請求項３】
前記第１のロック部材は、針回収後にプランジャ部材と係合可能であり、これにより、プランジャ外側部およびバレルのうち少なくともいずれか一方に対するプランジャ部材の更なる移動を防止または妨害することができることを特徴とする請求項２に記載のプランジャ。
【請求項４】
流体内容物の注入の終了時にバレルと係合可能であり、これによりプランジャ外側部のバレルに対する更なる移動を防止または妨害することができる第２のロック部材を備えることを特徴とする請求項１乃至３のうちいずれか一項に記載のプランジャ。
【請求項５】
前記プランジャは付勢部材を更に備え、プランジャ部材およびプランジャ外側部は、最初にエネルギーを付与された状態に付勢部材を解放自在に保持すべく協動することを特徴とする請求項１乃至４のうちいずれか一項に記載のプランジャ。
【請求項６】
前記付勢部材は最初に圧縮したバネであることを特徴とする請求項５に記載のプランジャ。
【請求項７】
前記プランジャは針係合部材を更に備えることを特徴とする請求項１乃至６のうちいずれか一項に記載のプランジャ。
【請求項８】
プランジャ・シールを更に備えることを特徴とする請求項１乃至７のいずれか一項に記載のプランジャ。
【請求項９】
前記プランジャ・シールはプランジャ部材に取り付けられることを特徴とする請求項８に記載のプランジャ。
【請求項１０】
前記プランジャ・シールは針係合部材を含むことを特徴とする請求項８または９に記載のプランジャ。
【請求項１１】
前記プランジャ・シールは流体を前記格納可能な針に配流可能な１つ以上の流体管を含むことを特徴とする請求項８乃至１０のうちいずれか一項に記載のプランジャ。
【請求項１２】
制御棒を更に備えることを特徴とする請求項１乃至１１のうちいずれか一項に記載のプランジャ。
【請求項１３】
前記制御棒およびプランジャ部材は解放可能に連結されることを特徴とする請求項１２に記載のプランジャ。
【請求項１４】
カニューレと、針体とを含む格納可能な針を備える、プランジャからなる格納可能な注射器用の針アセンブリであって、針体は、使用時において流体を前記カニューレに配流する１つ以上の流体チャネルを含むことを特徴とする針アセンブリ。
【請求項１５】
使用時において、前記１つ以上の流体チャネルは、流体を前記カニューレに配流すべくプランジャ・シールの１つ以上の流体管と協動することを特徴とする請求項１４に記載の針アセンブリ。
【請求項１６】
前記針体は前記格納可能な針の回収を促進すべく前記プランジャの針係合部材によって係合可能であることを特徴とする請求項１４または１５に記載の針アセンブリ。
【請求項１７】
前記プランジャは請求項１乃至１３のうちいずれか一項に記載のものであることを特徴とする請求項１４乃至１６のうちいずれか一項に記載の針アセンブリ。
【請求項１８】
前記針体に解放可能に連結される針保持器を更に備えることを特徴とする請求項１４乃至１７のうちいずれか一項に記載の針アセンブリ。
【請求項１９】
前記針保持器は使用時において前記針体に解放可能に連結される複数の逆刺のついたアームを含むことを特徴とする請求項１８に記載の針アセンブリ。
【請求項２０】
前記針保持器は注射器組み立て時に針保持器の自己心出しを促進する複数のセンタリング・ボスを含むことを特徴とする請求項１８または１９に記載の針アセンブリ。
【請求項２１】
前記針保持器は注射器組み立て時にバレルに針保持器を接着する糊着剤または接着剤の流れを促進するか案内する複数のガイド・チャネルを含むことを特徴とする請求項１８乃至２０のうちいずれか一項に記載の針アセンブリ。
【請求項２２】
イジェクタを更に備えることを特徴とする請求項１４乃至２１のうちいずれか一項に記載の針アセンブリ。
【請求項２３】
前記プランジャと係合するときに、イジェクタが前記格納可能な針を回収すべく保持器からの格納可能な針の解放を促進することを特徴とする請求項２２に記載の針アセンブリ。
【請求項２４】
前記イジェクタは格納可能な針と解放可能に係合する複数のタブを含むことを特徴とする請求項２２または２３に記載の針アセンブリ。
【請求項２５】
前記タブは前記格納可能な針を解放すべく受容可能または要求されるレベルの回収活性力を生じさせることを特徴とする請求項２４に記載の針アセンブリ。
【請求項２６】
針シールを更に備えることを特徴とする請求項１４乃至２５のうちいずれか一項に記載の針アセンブリ。
【請求項２７】
バレルと、プランジャと、請求項１４乃至２６のうちいずれか一項に記載の針アセンブリとを備えることを特徴とする格納可能な注射器。
【請求項２８】
前記プランジャは請求項１乃至１３のうちいずれか一項に記載のものであることを特徴とする請求項２７に記載の格納可能な注射器。
【請求項２９】
バレルと、請求項１乃至１３のうちいずれか一項に記載のプランジャと、針アセンブリとを備えることを特徴とする格納可能な注射器。
【請求項３０】
前記針アセンブリは請求項１４乃至２５のうちいずれか一項に記載のものであることを特徴とする請求項２９に記載の格納可能な注射器。
【請求項３１】
前記バレルはカラーを含むことを特徴とする請求項２８乃至３０のうちいずれか一項に記載の格納可能な注射器。
【請求項３２】
前記カラーは１つ以上の解放部材を含むことを特徴とする請求項３１に記載の格納可能な注射器。
【請求項３３】
前記１つ以上の解放部材は、前記プランジャ部材をプランジャ外側部から係合解除し、付勢手段を減圧させる解除リングの形態にあるか、解除リングを含むことを特徴とする請求項３２に記載の格納可能な注射器。
【請求項３４】
前記注射器の流体内容物の注入後にバレルとプランジャとの間に形成されるロックを更に含むことを特徴とする請求項２７乃至３３のうちいずれか一項に記載の格納可能な注射器。
【請求項３５】
予め充填される注射器であることを特徴とする請求項２７乃至３４のうちいずれか一項に記載の格納可能な注射器。
【請求項３６】
格納可能な注射器の製造方法であって、前記格納可能な注射器のバレルに針保持器を挿入する工程を含み、該針保持器は、バレルにおける針保持器の自己心出しを促進する複数のセンタリング・ボスを含むことを特徴とする格納可能な注射器の製造方法。
【請求項３７】
前記針保持器のガイド・チャネルに接着剤を流すことにより、バレルに針保持器を接着させる工程を含むことを特徴とする請求項３６に記載の方法。
【請求項３８】
前記格納可能な注射器は、請求項２７乃至３５のうちいずれか一項に記載のものであることを特徴とする請求項３６または３７に記載の方法。
【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
コーティングロールと、
前記コーティングロール上に第１のコーティングを設けるための第１のコーティングアプリケータと、
前記第１のコーティングの上に第２のコーティングを設けるための、少なくとも１つの針管を有する第２のコーティングアプリケータと、を備える、コーティング装置。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
遠心分離血液処理装置のための使い捨て血液処理セットであって、前記血液処理セットは、
流出ライン（５０）を有する白血球除去システム用分離チャンバ（１３２）と、
前記流出ライン（５０）に流体連通する溶液ライン（８３）と、
流入口及び流出口（５２）を有する採取チャンバ（１３４）と、
を備え、
前記白血球除去システム用分離チャンバ（１３２）の前記流出ライン（５０）は前記採取チャンバ（１３４）の前記流入口に流体連通することを特徴とする血液処理セット。
【請求項２】
請求項１記載の血液処理セットにおいて、前記溶液ライン（８３）は、前記白血球除去システム用分離チャンバ（１３２）の前記流出ライン（５０）と前記採取チャンバ（１３４）の前記流入口との間に接続されることを特徴とする血液処理セット。
【請求項３】
請求項２記載の血液処理セットにおいて、前記採取チャンバの前記流出口（５２）に流体連通する少なくとも１つの血液成分採取バッグ（４０）をさらに備えることを特徴とする血液処理セット。
【請求項４】
請求項３記載の血液処理セットにおいて、前記採取チャンバ（１３４）から前記採取バッグ（４０）へと血液成分を流出させると同時に前記白血球除去システム用分離チャンバ（１３２）からの流体の流出を制止するための手段をさらに備えることを特徴とする血液処理セット。
【請求項５】
請求項１記載の血液処理セットにおいて、流出口を有する、全血を受容するための血液処理容器（１２）をさらに備え、前記血液処理容器（１２）の前記流出口は前記白血球除去システム用分離チャンバ（１３２）の流入口に流体連通することを特徴とする血液処理セット。
【請求項６】
遠心分離ロータ組立体（２０）と、
請求項１から請求項４のいずれか１項に記載の血液処理セットと、
を備える血液処理装置。
【請求項７】
請求項６記載の血液処理装置において、前記血液処理セットは、流出口を有する、全血を受容するための血液処理容器（１２）をさらに備え、前記血液処理容器の前記流出口は前記白血球除去システム用分離チャンバ（１３２）の流入口に流体連通し、
前記血液処理装置は、前記血液処理容器（１２）を受容する導管ハウジング（１８）をさらに備えることを特徴とする血液処理装置。
【請求項８】
血液成分を白血球除去システム用分離チャンバ（１３２）において分離する工程と、
前記血液成分を、前記白血球除去システム用分離チャンバ（１３２）から採取チャンバ（１３４）へ流す工程と、
前記血液成分を前記採取チャンバ（１３４）において濃縮する工程と、
前記血液成分を前記採取チャンバ（１３４）から流出させる工程と、
を有する血液処理装置を制御するための方法。
【請求項９】
請求項８記載の方法において、溶液を、前記白血球除去システム用分離チャンバ（１３２）と前記採取チャンバ（１３４）との間で前記採取チャンバ（１３４）に流入させる工程をさらに有することを特徴とする方法。
【請求項１０】
請求項９記載の方法において、前記溶液は血小板添加剤溶液であることを特徴とする方法。
【請求項１１】
請求項９記載の方法において、前記溶液は洗浄用溶液であることを特徴とする方法。
【請求項１２】
請求項９記載の方法において、前記白血球除去システム用分離チャンバ（１３２）及び前記採取チャンバ（１３４）の両方は遠心分離ロータ組立体（２０）に取り付けられ、前記溶液は同時に、前記採取チャンバ（１３４）に加えられ、及び前記採取チャンバ（１３４）から取り出されることを特徴とする方法。
【請求項１３】
請求項１２記載の方法において、
血液処理容器（１２）において、血液を血液成分に分離する工程と、
少なくとも１つの成分を前記白血球除去システム用分離チャンバ（１３２）に抽出する工程と、
をさらに有することを特徴とする方法。
【請求項１４】
請求項１３記載の方法において、
前記血液処理容器（１２）は、導管ハウジング（１８）に受容され、前記導管ハウジング（１８）は前記遠心分離ロータ組立体（２０）に回転可能に相互接続されることを特徴とする方法。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
赤血球の白血球除去のための方法であって、
ドナーから直近に取り出された分離された赤血球を用意する工程と、
前記分離された赤血球を押し流して白血球除去フィルタ（１２０、２４０）に通過させる工程と、
前記高ヘマトクリット値の赤血球を押し流して前記白血球除去フィルタ（１２０、２４０）に通過させる前記工程の後に、採取容器（６２、２３８）に前記赤血球を採取する工程と、
を含む方法であって、該方法は、
前記採取工程の後に、所定量の別の血液成分を前記白血球除去フィルタ（１２０、２４０）に向けて流して、赤血球を前記フィルタ（１２０、２４０）から前記採取容器（６２、２３８）に流し出す工程をさらに含むことを特徴とする方法。
【請求項２】
請求項１記載の方法において、
血液処理容器（１２）の出口（５０）に流体結合される、赤血球以外の他の血液成分のための血液成分経路（９８）を設ける工程と、
前記血液成分経路を、保存場所（５８）又は赤血球経路（６０）に対して選択的に流体結合する工程と、
前記所定量の前記他の血液成分を、前記血液成分経路を通って前記フィルタ内に流入させる工程と、
をさらに有し、
前記血液成分経路は、前記血液処理容器の赤血球出口（４６）と前記フィルタとの間で前記赤血球経路に結合されることを特徴とする方法。
【請求項３】
血液成分を採取するための使い捨てバッグ・管セット（８）であって、
血液遠心分離装置（６）のロータ（２０）に取り付けられるように適合された血液処理容器と、
少なくとも１つの赤血球採取バッグ（６２）と、
管を備える赤血球経路（４６、６０）であって、前記血液処理容器の出口を前記赤血球採取バッグに結合する赤血球経路と、
前記赤血球経路内のフィルタ（１２０）であって、前記血液処理容器の前記出口と前記赤血球採取バッグとの間に介在するフィルタと、
赤血球以外の血液成分のための血液成分経路（９８）と、
を備え、
前記血液成分経路は、前記血液処理容器の第２の出口に流体結合され、また保存場所（５８）又は前記赤血球経路に選択的に流体結合され、さらに前記血液成分経路は、前記出口と前記フィルタとの間で前記赤血球経路に結合されることを特徴とする使い捨てバッグ・管セット。
【請求項４】
請求項３記載の使い捨てバッグ・管セットにおいて、前記保存場所は、流体をドナーに戻すための手段（８）に流体接続されることを特徴とする使い捨てバッグ・管セット。
【請求項５】
請求項３記載の使い捨てバッグ・管セットにおいて、前記保存場所は、成分採取バッグを含むことを特徴とする使い捨てバッグ・管セット。
【請求項６】
血液を分離するための装置であって、
遠心ロータ（２０）と、
前記ロータに取り付けられるように適合された血液処理容器（１２）と、
少なくとも１つの赤血球採取バッグ（６２）と、
管を備える赤血球経路（４６、６０）であって、前記血液処理容器の出口を前記赤血球採取バッグに結合する赤血球経路と、
前記赤血球経路内のフィルタ（１２０）であって、前記血液処理容器の前記出口と前記赤血球採取バッグとの間に介在するフィルタと、
赤血球以外の血液成分のための血液成分経路（９８）と、
を備え、
前記血液成分経路は、前記血液処理容器の第２の出口に流体結合され、保存場所（５８）又は前記赤血球経路に選択的に流体結合され、さらに前記血液成分経路は、前記出口と前記フィルタとの間で前記赤血球経路に結合されることを特徴とする装置。
【請求項７】
請求項６記載の装置において、前記保存場所は、ドナーに流体を戻すための手段（８）に流体接続されることを特徴とする装置。
【請求項８】
請求項７記載の装置において、前記保存場所は、成分採取バッグを含むことを特徴とする装置。
【請求項９】
赤血球を採取するための方法であって、
ある量の全血を赤血球と少なくとも１つの他の成分とに遠心分離する工程と、
前記他の成分を採取バッグ（２４４）に少なくとも一時的に採取する工程と、
前記分離工程の間に前記赤血球をフィルタ（２４０）に通過させる工程と、
濾過された赤血球を赤血球採取バッグ（２３８）に採取する工程と、
前記他の成分を前記フィルタに流入させ、赤血球を前記フィルタから前記採取バッグに移動させる工程と、
を含む方法。
【請求項１０】
請求項９記載の方法において、
前記赤血球と、前記他の成分と、少なくとも１つのさらなる血液成分とを、流体的に相互接続された１組の採取バッグ（２１４、２１６、２３８）に採取する工程と、
前記他の成分を前記フィルタに流入させる前に、前記１組の採取バッグから、前記さらなる成分を収容するバッグ（２１４）を取り外す工程と、
をさらに含むことを特徴とする方法。
【請求項１１】
請求項１０記載の方法において、前記他の成分の採取バッグ（２４４）を前記フィルタ及び前記赤血球採取バッグ（２３８）の上方に吊るして、前記フィルタから前記赤血球を押し流す工程をさらに含むことを特徴とする方法。
【請求項１２】
請求項１又は２のいずれか１項に記載の方法において、赤血球以外の前記血液成分はバフィーコートであることを特徴とする方法。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
スクリーン印刷法による成形セラミック物品の製造方法であって、セラミック前駆体の分散系を、複数の開口を含む印刷スクリーンを通して受け取り面に適用する工程と、前記印刷スクリーンを前記受け取り面から取り除いて複数のスクリーン印刷された形状を形成すると同時に、前記スクリーン印刷された形状の第１の側面と、前記受け取り面と接触状態にある前記スクリーン印刷された形状の第２の側面との間に差圧を加える工程と、前記受け取り面上に残っている前記スクリーン印刷された形状を少なくとも部分的に乾燥させ、前記スクリーン印刷された形状を焼成して、焼結成形セラミック物品を形成する工程と、を含む方法。
【請求項２】
αアルミナを含む成形研磨粒子の製造方法であって、ベーマイトアルミナゾル−ゲルの形状を、真空ボックス又は真空ロールに隣接して位置する通気性受け取り面の上にスクリーン印刷すると同時に、印刷スクリーンの中の開口を前記ゾル−ゲルで充填して、複数のスクリーン印刷された形状を形成する工程と、前記スクリーン印刷された形状を前記印刷スクリーンから取り出す工程と、前記スクリーン印刷された形状を少なくとも部分的に乾燥させる工程と、前記アルミナをα相に変態させるのに十分な温度で前記スクリーン印刷された形状を焼成する工程と、を含む方法。
【請求項３】
成形後フロー表面を含む、成形研磨粒子。
【請求項４】
第１の側面と、第２の側面と、該第１の側面と該第２の側面を接続している側壁と、を含み、該側壁は、該第１の表面と交わる第１の部分と、該第２の表面と交わる第２の部分とを含み、前記第１の部分の傾斜は、前記第２の部分の傾斜よりも大きい、成形研磨粒子。
【請求項５】
第１の側面と第２の側面と、該第１の側面と該第２の側面を接続している側壁とを含み、前記第１の側面が凹形であり、前記側壁が凹形である、成形研磨粒子。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
試験サンプル内の微生物を検出する方法であって、
ａ）培養サンプルを形成するために酵素基質を用いて試験サンプルを培養する工程であって、前記酵素基質が酵素加水分解性基及び蛍光基を含み、前記試験サンプル内に存在する微生物が、前記加水分解性基を前記蛍光基から加水分解し、蛍光検出可能な生成物を形成する酵素を含み、前記蛍光検出可能な生成物が酸性種及び塩基種の両方を有する、工程と、
ｂ）前記蛍光検出可能な生成物が光を放出するために十分な時間、Ｅｘλｉｓｏの波長を有する光を用いて前記蛍光検出可能な生成物を励起する工程であって、Ｅｘλｉｓｏが前記蛍光検出可能な生成物の吸光度等吸収点である、工程と、
ｃ）Ｅｍλ１の波長で放出される光を検出する工程と、を含む、方法。
【請求項２】
微生物の存在を検出するための試験システムであって、
酸性種及び塩基種の両方を有する、蛍光検出可能な生成物であって、前記蛍光検出可能な生成物が、（ａ）酵素加水分解性基及び蛍光基を含む酵素基質と、（ｂ）前記加水分解性基を前記酵素基質の前記蛍光基から加水分解する酵素を有する微生物を含む試験サンプルと、の反応生成物であり、前記蛍光検出可能な生成物が、前記酸性種の吸光度が前記塩基種の吸光度と同一である励起等吸収点Ｅｘλｉｓｏを有する、蛍光検出可能な生成物と、
前記蛍光検出可能な生成物を照射する、Ｅｘλｉｓｏの波長を有する光源であって、前記蛍光検出可能な生成物がＥｍλ１の波長で光を放出する、光源と、
を備える、試験システム。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
（ａ）吸着緩衝液改質無機濃縮剤であって、（１）少なくとも１つの無機濃縮剤を少なくとも１つのカチオン含有塩溶液と接触させ、前記無機濃縮剤の少なくとも一部分を湿らせることと、（２）結果として得られる少なくとも部分的に湿った無機濃縮剤を乾燥させることと、を含むプロセスによって調製される、吸着緩衝液改質無機濃縮剤を準備することと、（ｂ）少なくとも１つの微生物株を含む試料を準備することと、（ｃ）前記吸着緩衝液改質無機濃縮剤を前記試料と接触させることであって、それにより前記少なくとも１つの微生物株の少なくとも一部分が、前記吸着緩衝液改質無機濃縮剤に結合されるか又はそれによって捕捉されることと、を含み、前記無機濃縮剤が、非晶質金属ケイ酸塩及びこれらの組み合わせから選択される、プロセス。
【請求項２】
前記無機濃縮剤が、非晶質の長球化ケイ酸マグネシウムである、請求項１に記載のプロセス。
【請求項３】
（ａ）吸着緩衝液改質無機濃縮剤であって、少なくとも１つのカチオンを含む少なくとも１つの吸着緩衝液を用いて、少なくとも１つのシリコン含有無機濃縮剤を処理して、Ｘ線光電子分光法（ＸＰＳ）によって判定される、前記少なくとも１つのカチオンの原子とシリコンの原子との比率が、対応する未処理のシリコン含有無機濃縮剤の比率よりも大きい表面組成物を有するシリコン含有無機濃縮剤を準備することを含むプロセスによって調製される、吸着緩衝液改質無機濃縮剤を準備することと、（ｂ）少なくとも１つの微生物株を含む試料を提供することと、（ｃ）前記吸着緩衝液改質無機濃縮剤を前記試料と接触させることであって、前記少なくとも１つの微生物株の少なくとも一部分が、前記吸着緩衝液改質無機濃縮剤に結合されるか、又はそれによって捕捉されることと、を含む、プロセス。
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
患者服の内面上に支持された膨張式対流保温器（１５０）によって少なくとも１つの患者保温モードが提供される患者保温装置（２０）内の患者服であって、
前記患者服は、
内面（１０６）及び外面（１０４）を有する本体部（１０２）と、
前パネル（１０８）及び後パネル（１１０）と、
前記前パネル及び前記後パネルを結合する中央パネル（１１２）と、
前記中央パネルの互いに反対となる側部にある複数の袖部（１１４）と、
前記複数の袖部の間にある、前記中央パネル内の頭部開口（３０、１１６）と、を備えるポンチョ型患者服（２２、１００）であり、
前記膨張式対流保温器は、前記内面（１０６）上に支持され、前記前パネル及び前記中央パネルに沿って少なくとも前記頭部開口まで延在し、
少なくとも１つの吸気口（２７、１５２、１５３）が、前記膨張式対流保温器の非通気性の部分（１５８）を通って開口することを特徴とする、患者保温装置内の患者服。
【請求項２】
前記膨張式対流保温器は、少なくとも周辺シールによって互いに封止された非通気性材料シート及び通気性材料シートを有し、
前記非通気性材料シートは、前記患者服の前記内面に取り付けられ、
前記少なくとも１つの吸気口は、前記非通気性材料シートにある、請求項１に記載の患者保温装置内の患者服。
【請求項３】
前記膨張式対流保温器は、個々の膨張式の区分を有し、
前記少なくとも１つの吸気口は、第１の区分内への少なくとも１つの吸気口、および、第２の区分内への少なくとも１つの吸気口を含む、請求項２に記載の患者保温装置内の患者服。
【請求項４】
前記膨張式対流保温器は、非通気性材料シート、および、共通の周辺に沿って該非通気性材料シートに封止された通気性材料シートを有し、
前記非通気性材料シートは、前記内面に取り付けられ、
前記少なくとも１つの吸気口は、剛性材料からなる枠を含み、該剛性材料からなる枠は、前記非通気性材料シートの開口の周りで該非通気性材料シートに取り付けられる、請求項１に記載の患者保温装置内の患者服。
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
缶エンドに取り付けられるように構成されるタブであって、
第１端部と、該第１端部に対向し、且つ離間して配置される第２端部とを含む本体と、
タブの本体の第１端部又はその付近に配置されるノーズ部と、
タブの本体の第２端部又はその付近に配置されるリフト部と、
ノーズ部に近接して配置されて、略平面部と、縁のあるリベット孔と、該リベット孔の縁の周囲で略平面部から上方に延びる上向き部とを含んでおり、該上向き部は弧状断面形状を有するリベット受け部と、
を備えるタブ。
【請求項２】
略平面部は、第１表面と、該第１表面に対向して配置される第２表面とを有し、上向き部の弧状断面形状は第１表面から第２表面へ延びる、請求項１に記載のタブ。
【請求項３】
缶エンドと組み合わせられたタブであって、缶エンドは一体型リベットを含み、該缶エンドの一体型リベットは、リベット孔を通って延びて、かしめられることによりタブを缶エンドに取り付けられるよう構成される、請求項１に記載のタブ。
【請求項４】
リベット受け部の略平面部は厚みを有し、タブの最終形成後、上向き部は略平面部の上方に延び、その高さは、略平面部の厚さの１．０倍未満である、請求項３に記載のタブ。
【請求項５】
一体型リベットがかしめられてタブが缶エンドに取り付けられる前後において、上向き部には、角や稜がない、請求項３に記載のタブ。
【請求項６】
缶エンドに取り付けられるように構成されるタブを作製するツーリングであって、
タブは、第１端部と、該第１端部に対向すると共に離間して配置される第２端部とを含む本体と、第１端部又はその付近に配置されるノーズ部と、タブ本体の第２端部又はその付近に配置されるリフト部と、ノーズ部に近接して配置されるリベット受け部とを含んでおり、
第１ツールと、該第１ツールに対向して配置される第２ツールとを含んでおり、該第２ツールは第１ツールと協動して、タブのリベット受け部を貫通して縁を有するリベット孔を開設するように構成されている第１ツールアセンブリと、
第１ツールと、該第１ツールに対向して配置される第２ツールとを含んでおり、該第２ツールは第１ツールと協動して、リベット孔の縁の周囲で上方に延びる上向き部を形成するように構成されている第２ツールアセンブリと、
第１ツールと、該第１ツールに対向して配置される第２ツールとを含んでおり、該第２ツールは第１ツールと協動して、弧状断面形状を有するよう上向き部を再形成するように構成されている第３ツールアセンブリと、
を備えるツーリング。
【請求項７】
第１ツールアセンブリは、パンチ及びダイを含み、タブのリベット受け部は、パンチとダイの間に収容され、パンチは、リベット受け部を貫通してダイの中へ進入し、リベット孔を開設するように構成されている、請求項６に記載のツーリング。
【請求項８】
第２ツールアセンブリの第１ツールは、窪み部及び第１肩部を含み、第２ツールアセンブリの第２ツールは、テーパー状突起部及び第２肩部を含み、第１ツールの第１肩部は、第２ツールの第２肩部と協動して、タブのリベット受け部をそれらの間で固定し、第２ツールのテーパー状突起部は、第１ツールの窪み部の中へ延びて拭き出し作業を行うように構成されており、この作業では、リベット孔の縁の周囲にあるタブ材料は、第２ツールのテーパー状突起部と第１ツールの第１肩部との間で上方に曲げられる、請求項６に記載のツーリング。
【請求項９】
タブのリベット受け部は、厚みのある略平面部を含み、拭き出し作業後、上向き部は略平面部の上方に延びて、その高さは、略平面部の厚さの１．５倍未満である、請求項８に記載のツーリング。
【請求項１０】
第３ツールアセンブリの第１ツールは、第３肩部と、縁を有する環状窪み部を含んだ突起部とを備え、第３ツールアセンブリの第２ツールは、第４肩部及びキャビティを含み、第１ツールの第３肩部は第２ツールの第４肩部と協動して、タブのリベット受け部をそれらの間で固定し、第１ツールの突起部は、第２ツールのキャビティ内へ延びて圧印作業を行うように構成されており、この作業では、第１ツールの突起部の環状窪み部の縁と、第２ツールの第４肩部との間で、上向き部が押されることにより、タブの上向き部が再形成されて弧状断面形状がもたらされる、請求項８に記載のツーリング。
【請求項１１】
タブのリベット受け部は、厚みを有した略平面部を含み、圧印作業後、上向き部は略平面部の上方に延びて、その高さは、略平面部の厚さの１．０倍未満である、請求項１０に記載のツーリング。
【請求項１２】
第１ツールと、該第１ツールに対向して配置される第２ツールとを含む第４ツールアセンブリを更に備え、第２ツールは第１ツールと協動して、缶エンドの一体型リベットをかしめて、タブを缶エンドに取り付けるよう構成されており、一体型リベットが固定される前後において、タブの上向き部には角や稜がない、請求項６に記載のツーリング。
【請求項１３】
タブのリベット受け部は略平面部を含み、該略平面部は第１表面と、該第１表面に対向して配置される第２表面とを有し、上向き部の弧状断面形状は第１表面から第２表面へ延びる、請求項６に記載のツーリング。
【請求項１４】
缶エンドに取り付けられるように構成されたタブを提供する方法であって、
タブを提供する工程であって、該タブは、第１端部と、該第１端部に対向すると共に離間して配置される第２端部を有する本体と、第１端部又はその付近に配置されるノーズ部と、タブ本体の第２端部又はその付近に配置されるリフト部と、ノーズ部に近接して配置されるリベット受け部とを含んでいる工程と、
タブのリベット受け部を突き通して、縁を有するリベット孔を開設する工程と、
拭き出し作業を行うことにより、リベット孔の縁の周囲で略平面部から上方に延びる上向き部を最初に形成する工程と、
圧印作業を行うことにより、上弧状断面形状を有するように上向き部を再形成する工程と、
を備える方法。
【請求項１５】
拭き出し作業とは逆方向に圧印作業を行う工程を更に備え、上向き部を再形成する工程は、該上向き部を押して弧状断面形状を形成することによってリベット孔を強化する工程を含む、請求項１４に記載の方法。
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
女性に対して一日量少なくとも約１００μｇの、１６−メチレン−１７α−アセトキシ−１９−ノルプレグナ−４−エン−３，２０−ジオンを含むプロゲスチンを吸収させるための少なくとも３ｍｇのプロゲスチンであって、したがって少なくとも約５００ｐｍｏｌ／Ｌの平均血漿レベルを提供するプロゲスチンと、前記女性に対して一日量少なくとも約１００μｇのエストラジオールを吸収させるための少なくとも３ｍｇのエストラジオールとを含む担体配合物を含む、女性の避妊治療用の経皮システムであって、前記経皮システムが女性の排卵を効果的に遮断し、卵胞の発達及び破裂を予防すると共に不正出血を最小限に抑える経皮システム。
【請求項２】
前記プロゲスチン３ｍｇ〜４．５ｍｇ及び前記エストラジオール１ｍｇ〜１．５ｍｇを含む、請求項１に記載の経皮システム。
【請求項３】
前記担体がゲルを含む、請求項１に記載の経皮システム。
【請求項４】
前記ゲルが、前記ゲルシステム中の活性薬剤に対する少なくとも１種の浸透促進剤を含む含水アルコール配合物を含む、請求項３に記載の経皮システム。
【請求項５】
女性に対して一日量少なくとも約３００μｇの、１６−メチレン−１７α−アセトキシ−１９−ノルプレグナ−４−エン−３，２０−ジオンを含むプロゲスチンを吸収させるための量のプロゲスチンであって、したがって少なくとも約５００ｐｍｏｌ／Ｌの平均血清レベルを提供するプロゲスチンと、前記女性に対して一日量少なくとも約１００μｇのエストラジオールを吸収させるための量のエストラジオールとを含む担体配合物の形態で、前記プロゲスチン及び前記エストラジオールの一日投与単位を投与することを含む、女性の避妊治療の方法。
【請求項６】
前記一日投与単位を前記女性に１日１回ベースで３週間逐次的に投与し、続く１週間はこのような一日投与単位を投与しないことを含む、請求項５に記載の方法。
【請求項７】
前記一日投与単位を前記女性に毎日連続投与することを含む、請求項５に記載の方法。
【請求項８】
前記プロゲスチンを少なくとも約３ｍｇ及び前記エストラジオール少なくとも約１ｍｇを前記女性に投与することを含む、請求項５に記載の方法。
【請求項９】
前記プロゲスチン約３ｍｇ〜４．５ｍｇ及び前記エストラジオール約１ｍｇ〜１．５ｍｇを前記女性に投与することを含む、請求項８に記載の方法。
【請求項１０】
前記避妊治療が経皮避妊治療を含む、請求項５に記載の方法。
【請求項１１】
前記一日投与単位が経皮ゲル剤の形態である、請求項１０に記載の方法。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
ａ）創傷および創傷周囲を気密閉鎖するための空気不透過性カバー材と、
ｂ）創傷空間内に減圧を発生させることができ、且つ創傷空間から液体を吸引除去することができるように、創傷空間を前記カバー材の外側にある減圧源と機能的に連結する手段と、
ｃ）創傷面とカバー材によって形成される間隙に入れられる液体透過性創傷被覆材と、
を備える創傷減圧療法用の装置であって、前記装置が、さらに、
ｄ）前記液体透過性創傷被覆材の裁断補助手段であって、
ｄ１）裁断補助手段が、第１の面と第２の面とを有する透明シートを備え、
ｄ２）前記透明シートに創傷の輪郭を描くことができるように、透明シートの第１の面は筆記可能であり、
ｄ３）前記透明シートは、少なくとも前記第１の面の反対側にある前記第２の面に粘着性コーティングを有し、使用時に創傷に面しない創傷被覆材の面に裁断補助手段を貼付することができるようになっている、
裁断補助手段を備える、
ことを特徴とする創傷減圧療法用の装置。
【請求項２】
前記透明シートの第２の面にポリアクリレート粘着剤がコーティングされている、請求項１に記載の創傷減圧療法用の装置。
【請求項３】
前記透明シートがポリマーシートである、請求項１または２に記載の創傷減圧療法用の装置。
【請求項４】
前記ポリマーシートのポリマーが、ポリウレタン、ポリエステル、ポリプロピレン、ポリエチレン、ポリアミド、ポリ塩化ビニル、ポリオルガノシロキサン、またはこれらの混合物を含む、請求項３に記載の創傷減圧療法用の装置。
【請求項５】
前記裁断補助手段）がさらに、使用時に創傷の方を向く面に少なくとも１つの透明カバーシートを備える、請求項１〜４のいずれか一項に記載の創傷減圧療法用の装置。
【請求項６】
前記少なくとも１つのカバーシートがシリコーン処理ポリエステルフィルムを含む、請求項５に記載の創傷減圧療法用の装置。
【請求項７】
前記裁断補助手段が、使用時に創傷の方を向かない面に少なくとも１つの他のシートを備える、請求項１〜６のいずれか一項に記載の創傷減圧療法用の装置。
【請求項８】
前記少なくとも１つの他のシートが、第１の面と第２の面とを有する透明ポリエステルフィルムを含み、さらに
ｄ２）創傷の輪郭を前記透明ポリエステルフィルムに描くことができるように、前記透明ポリエステルフィルムの第１の面は筆記可能であり、
ｄ３）前記透明ポリエステルフィルムは、前記第１の面の反対側にある第２の面に粘着性コーティングを有し、前記透明ポリエステルフィルムを前記透明シートの第１の面に貼付することができるようになっており、前記透明ポリエステルフィルムはさらに創傷被覆材の裁断後、前記透明シート（８）から引き剥がされ、創傷のサイズを記録するために文書補助として保管することができるようになっている、
請求項７に記載の創傷減圧療法用の装置。
【請求項９】
創傷減圧療法用の裁断された液体透過性創傷被覆材を準備する方法であって、
ａ）請求項１〜８のいずれか一項に記載の裁断補助手段を準備する工程、
ｂ）液体透過性創傷被覆材を準備する工程、
ｃ）創傷の輪郭を前記裁断補助手段に透写する工程、
ｄ）創傷被覆材と裁断補助手段からなる平面状積層体が得られるように、使用時に創傷に面しない前記液体透過性創傷被覆材の面に前記裁断補助手段の第２の面を貼着する工程、
ｅ）創傷被覆材と裁断補助手段からなる前記平面状積層体を裁断する工程であって、裁断が前記工程ｃ）で前記裁断補助手段に描かれた輪郭に沿って行われる工程、
を含む方法。
【請求項１０】
ｆ）前記裁断補助手段を前記裁断された創傷被覆材から除去する工程をさらに含む、請求項９に記載の創傷減圧療法用の裁断された液体透過性創傷被覆材を準備する方法。
【請求項１１】
前記裁断補助手段を創傷に近接して保持したまま、または創傷上に配置したまま、創傷の輪郭を前記裁断補助手段に透写する、請求項９または１０に記載の創傷減圧療法用の裁断された液体透過性創傷被覆材を準備する方法。
【請求項１２】
ａ）創傷および創傷周囲を気密閉鎖するための空気不透過性カバー材と、
ｂ）創傷空間内に減圧を発生させることができ、且つ創傷空間から液体を吸引除去することができるように、創傷空間を前記カバー材の外側にある減圧源と機能的に連結する手段と、
ｃ）創傷面とカバー材によって形成される間隙に入れられる液体透過性創傷被覆材と、
ｄ）第１の面と第２の面とを有する透明シートを備える裁断補助手段であって、前記透明シートの第１の面が筆記可能であり、前記透明シートの第２の面が粘着性コーティングを有する裁断補助手段と、
を備え、前記構成要素ａ）〜ｄ）が滅菌包装された状態で提供されている、すぐに使用できる減圧創傷治療用セット。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
止血性複合スポンジであって、該スポンジは、
生体材料のマトリックスの多孔質スポンジと、
該スポンジの少なくとも１つの表面と安定に結合する、適用組織に対する該スポンジの付着性を増強する材料と
を含み、ここで、該材料がヒドロゲル形成成分を本質的に含まない、止血性複合スポンジ。
【請求項２】
前記生体材料が、コラーゲン、ゼラチン、フィブリン、多糖、例えばキトサン、及びその誘導体からなる群から選択される、請求項１に記載のスポンジ。
【請求項３】
前記適用組織に対する前記スポンジの付着性を増強する前記材料が、第１の架橋可能成分と、反応可能な条件下で該第１の架橋可能成分と架橋する第２の架橋可能成分とを含む、２種類のプレポリマーの混合物、又は前もって形成されたポリマーである、請求項１又は２に記載のスポンジ。
【請求項４】
前記第１及び／又は第２の架橋可能成分が、ポリエチレングリコールの誘導体を含む、請求項１から３のいずれか一項に記載のスポンジ。
【請求項５】
前記適用組織に対する前記スポンジの付着性を増強する前記材料が、該スポンジの少なくとも１つの表面に連続又は不連続な層を形成する、請求項１から４のいずれか一項に記載のスポンジ。
【請求項６】
全厚が約１ｍｍから約２．５ｍｍである、請求項１から５のいずれか一項に記載のスポンジ。
【請求項７】
低侵襲手術において、例えば腹腔鏡検査適用に使用するための組成物であって、請求項１から６のいずれか一項に記載のスポンジを含む、組成物。
【請求項８】
前記適用組織に対する前記スポンジの付着性を増強する前記材料が、生体材料１ｃｍ２当たり５から５００ｍｇ、好ましくは１ｃｍ２当たり５から１００ｍｇの濃度で存在する、請求項１から６のいずれか一項に記載のスポンジまたは請求項７に記載の組成物。
【請求項９】
止血性複合スポンジを製造する方法であって、
ａ）生体材料のマトリックスの多孔質スポンジを用意する工程、
ｂ）適用組織に対する該スポンジの付着性を増強する材料を懸濁物、溶液又は粉体の形態で用意する工程であって、ここで該材料はヒドロゲル形成成分を本質的に含まない工程、
ｃ）止血性複合スポンジが得られるように、ｂ）の該材料が該スポンジの少なくとも１つの表面と安定に結合するように、ａ）とｂ）とを接触させる工程、必要に応じて
ｄ）工程ｃ）で得られた該複合スポンジを乾燥させる工程、必要に応じて
ｅ）工程ｃ）又はｄ）で得られた該複合スポンジを滅菌する工程
を含む、方法。
【請求項１０】
請求項１から７のいずれか一項に記載の止血性複合スポンジを含む、創傷、出血、損傷組織及び／又は出血組織を処置するための組成物。
【手続補正２】
【補正対象書類名】明細書
【補正対象項目名】００１６
【補正方法】変更
【補正の内容】
【００１６】
本明細書に開示するようなスポンジと薬学的活性物質とを含む創傷被覆材（ｗｏｕｎｄ
ｃｏｖｅｒａｇｅ）を調製するためのキットも提供する。このキット及びその成分は、特に、傷害の処置のための医用スポンジの製造用である。
本発明は、例えば以下の項目を提供する。
（項目１）
止血性複合スポンジであって、該スポンジは、
生体材料のマトリックスの多孔質スポンジと、
該スポンジの少なくとも１つの表面と安定に結合する、適用組織に対する該スポンジの付着性を増強する材料と
を含み、ここで、該材料がヒドロゲル形成成分を本質的に含まない、止血性複合スポンジ。
（項目２）
前記生体材料が、コラーゲン、ゼラチン、フィブリン、多糖、例えばキトサン、及びその誘導体からなる群から選択される、項目１に記載のスポンジ。
（項目３）
前記適用組織に対する前記スポンジの付着性を増強する前記材料が、第１の架橋可能成分と、反応可能な条件下で該第１の架橋可能成分と架橋する第２の架橋可能成分とを含む、２種類のプレポリマーの混合物、又は前もって形成されたポリマーである、項目１又は２に記載のスポンジ。
（項目４）
前記第１及び／又は第２の架橋可能成分が、ポリエチレングリコールの誘導体を含む、項目１から３のいずれか一項に記載のスポンジ。
（項目５）
前記適用組織に対する前記スポンジの付着性を増強する前記材料が、該スポンジの少なくとも１つの表面に連続又は不連続な層を形成する、項目１から４のいずれか一項に記載のスポンジ。
（項目６）
全厚が約１ｍｍから約２．５ｍｍである、項目１から５のいずれか一項に記載のスポンジ。
（項目７）
低侵襲手術において、例えば腹腔鏡検査適用に使用するための、項目１から６のいずれか一項に記載のスポンジ。
（項目８）
前記適用組織に対する前記スポンジの付着性を増強する前記材料が、生体材料１ｃｍ２当たり５から５００ｍｇ、好ましくは１ｃｍ２当たり５から１００ｍｇの濃度で存在する、項目１から７のいずれか一項に記載のスポンジ。
（項目９）
止血性複合スポンジを製造する方法であって、
ａ）生体材料のマトリックスの多孔質スポンジを用意する工程、
ｂ）適用組織に対する該スポンジの付着性を増強する材料を懸濁物、溶液又は粉体の形態で用意する工程であって、ここで該材料はヒドロゲル形成成分を本質的に含まない工程、
ｃ）止血性複合スポンジが得られるように、ｂ）の該材料が該スポンジの少なくとも１つの表面と安定に結合するように、ａ）とｂ）を接触させる工程、必要に応じて
ｄ）工程ｃ）で得られた該複合スポンジを乾燥させる工程、必要に応じて
ｅ）工程ｃ）又はｄ）で得られた該複合スポンジを滅菌する工程
を含む、方法。
（項目１０）
項目１から７のいずれか一項に記載の止血性複合スポンジを施す工程を含む、創傷、出血、損傷組織及び／又は出血組織を処置する方法。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
陰圧創傷治療法のための装置であり、前記装置が：
（ａ）  前記創傷及び創傷周囲を密閉するためのカバー材料；
（ｂ）  前記創傷領域に陰圧を発生させるために適した手段；及び
（ｃ）  創傷被覆材としてのクロスリンクポリオルガノシロキサン系オープンセルフォーム、を含む、装置。
【請求項２】
請求項１に記載の陰圧創傷治療法のための装置であり、前記フォーム（ｃ）が、次の化合物；
（ｉ）  Ｃ２〜Ｃ６アルケニル基、好ましくは１以上のビニル基を持つ１以上の基を含むポリオルガノシロキサン、
（ｉｉ）  １以上のＳｉ−Ｈ基を含むポリオルガノシロキサン、
（ｉｉｉ）  １以上のＯＨ基を含む発泡剤、及び
（ｉｖ）  有機金属触媒、
を含む硬化可能混合物の反応により得られる、陰圧創傷治療法のための装置。
【請求項３】
請求項２に記載の陰圧創傷治療法のための装置であり、前記成分（ｉ）が、一般式（１）のポリオルガノシロキサンであり、
【化８】
2013514094.tif 000001
...（１）
ここでＲ１は独立して、Ｃ１〜Ｃ６アルキル、Ｃ１〜Ｃ６ハロアルキル、アリール又はＣ２〜Ｃ６アルケニルであり、ただしｎは、前記ポリオルガノシロキサンが５００及び２５００００ｍＰａｓの範囲の粘度を持ち、かつ前記分子が少なくとも１つのＣ２〜Ｃ６のアルケニル基を有する値である、陰圧創傷治療法のための装置。
【請求項４】
請求項２又は３のいずれか１項に記載の陰圧創傷治療法のための装置であり、前記成分（ｉｉ）が一般式（２）のポリオルガノシロキサンを含み、
【化９】
2013514094.tif 000002
...（２）
ここでＲ２は独立して、Ｃ１〜Ｃ６アルキル、Ｃ１〜Ｃ６ハロアルキル、アリール又は水素であり、ただし前記分子は少なくとも２つのシリコンに結合された水素原子を有し、それらが異なるシリコン原子に結合される、陰圧創傷治療法のための装置。
【請求項５】
請求項２乃至４のいずれか１項に記載の陰圧創傷治療法のための装置であり、成分（ｉｉｉ）としてＣ１〜Ｃ６アルカノールが使用される、陰圧創傷治療法のための装置。
【請求項６】
請求項１乃至５のいずれか１項に記載の陰圧創傷治療法のための装置であり、前記フォームが、引張強度がＤＩＮ５３５７１による測定で１００ｋＰａから１０ＭＰａであり及び／又は延性がＤＩＮ５３５７１による測定で１００％から３５０％である、陰圧創傷治療法のための装置。
【請求項７】
請求項１乃至６のいずれか１項に記載の陰圧創傷治療法のための装置であり、前記フォーム（ｃ）が、ＤＩＮＥＮＩＳＯ９２３７による測定で空気透過性が１０００から８０００ｌ／（ｍ２秒）である、陰圧創傷治療法のための装置。
【請求項８】
請求項１乃至７のいずれか１項に記載の陰圧創傷治療法のための装置であり、前記フォーム（ｃ）が粘弾性を有する、陰圧創傷治療法のための装置。
【請求項９】
請求項１乃至８のいずれか１項に記載の陰圧創傷治療法のための装置であり、前記フォーム（ｃ）が、ＤＩＮＥＮＩＳＯ８４５による測定で原料密度が０．１２と０．３０ｇ／ｃｍ３との間である、陰圧創傷治療法のための装置。
【請求項１０】
陰圧創傷治療法のための装置であり、前記カバー材料（ａ）が、１００から２５００ｇ／ｍ２ｘ２４時間の水蒸気透過性を有する、陰圧創傷治療法のための装置。
【請求項１１】
請求項１乃至１０いずれか１項に記載の陰圧創傷治療法のための装置であり、さらに、前記創傷被覆材（ｃ）及び前記カバー材料（ａ）との間に挿入するための少なくとも１つの追加の圧力分布層を含む、陰圧創傷治療法のための装置。
【請求項１２】
請求項１乃至１１のいずれか１項に記載の陰圧創傷治療法のための装置であり、さらに、前記創傷の表面と前記創傷被覆材（ｃ）との間に挿入するための創傷接触層を含む、陰圧創傷治療法のための装置。
【請求項１３】
陰圧創傷治療法のための即使用セットであって、前記セットが：
（ａ）  前記創傷及び創傷周辺を密閉するためのカバー材料、
（ｂ）  前記創傷内に陰圧を生成するための適切な手段であって、好ましくは前記創傷領域を前記カバー材料の外側で陰圧源と機能的に接続し、陰圧を前記創傷領域で生成しかつ流体を前記創傷領域から吸引により除く手段、
（ｃ）  クロスリンクポリオルガノシロキサン系オープンセルフォームを含み、前記フォームが創傷被覆材として適しており、即使用パック内に準備されている、陰圧創傷治療法のための即使用セット。
【請求項１４】
前記陰圧創傷治療法において使用するための、クロスリンクポリオルガノシロキサン系のオープンセルフォーム。
【手続補正書】
【提出日】平成25年6月11日(2013.6.11)
【手続補正１】
【補正対象書類名】明細書
【補正対象項目名】００７４
【補正方法】変更
【補正の内容】
【００７４】
比較例１（低シリカチャバザイト）
低シリカチャバザイト（構造コードＣＨＡ）を、米国特許第５，０２６，５３２号公報の例に従って合成した（当該特許は、参照によって本明細書に組み込まれる）。ろ過、洗浄、および乾燥後の生成物を、５５０℃でか焼した。次いで、残留ナトリウムおよびカリウムを除去するように、生成物を、８０℃で２時間に亘り、０．２５ＭのＨＮＯ３および４ＭのＮＨ４ＮＯ３を含む溶液で洗浄した。得られた特性を以下の表１に示す。
【手続補正２】
【補正対象書類名】明細書
【補正対象項目名】００７５
【補正方法】変更
【補正の内容】
【００７５】
比較例２（ＳＡＰＯ−３４  小さくかつ不均一な結晶）
Ａｌイソプロオキシド、リン酸、テトラエチルオルトケイ酸塩、ＴＥＡＯＨ溶液、および脱イオン水を、一体に混合して以下の組成を有するゲルを形成した。
０．３３ＳｉＯ２：１．０Ａｌ２Ｏ３：１．０Ｐ２Ｏ５：１．０ＴＥＡＯＨ：５１Ｈ２Ｏ
【手続補正３】
【補正対象書類名】明細書
【補正対象項目名】００７９
【補正方法】変更
【補正の内容】
【００７９】
ＮａＯＨ、脱イオン水、Ｎ−Ｎ−Ｎ−トリメチルー１−アダマンタンアンモニア水素化物（Ｒ）溶液、およびアルミニウム水素化物を、一体に混合して溶液を形成した。析出したシリカ（ＰＰＧのＨｉ−Ｓｉｌ（登録商標）２３３）を、溶液に添加して以下の分子組成を有する合成ゲルを形成した。
３５ＳｉＯ２：１．０Ａｌ２Ｏ３：２．８Ｎａ２Ｏ：２．５Ｒ：４２０Ｈ２Ｏ
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
複合品であって、
各層が他の少なくとも１層に隣接して位置していて樹脂が染み込んでいる繊維強化材の複数の層、および
少なくとも１つの層に隣接して位置していて少なくとも１つの面が金属もしくは金属合金の連続層で覆われている少なくとも１層の不織マット、
を含有して成っていて、前記金属もしくは金属合金の層の厚みが０．１μｍから２５μｍの範囲でありかつ面重量が５０ｇ／ｍ２未満であり、かつ前記不織マットが炭素繊維、グラスファイバー繊維、アラミド繊維、パラ−アラミド繊維、熱可塑性プラスチック繊維またはこれらの組み合わせで構成されており、前記繊維強化材がポリ−パラフェニレンテレフタルアミドをベースとするアラミド繊維、グラスファイバー、石英、炭素およびグラファイトから成る群より選択した繊維でつくられている複合品。
【請求項２】
各層が一方向である請求項１記載の複合品。
【請求項３】
積層パネルを製造するための製造方法であって、
炭素繊維、グラスファイバー繊維、アラミド繊維、パラ−アラミド繊維、熱可塑性プラスチック繊維またはこれらの組み合わせで構成されているシート材料を準備し、
前記シート材料の少なくとも１つの面に金属もしくは金属合金の連続被覆層を物理的蒸着、原子層蒸着、化学蒸着、低圧化学蒸着およびプラズマ化学蒸着から成る群より選択した被覆方法で生じさせるが、その被覆されたシート材料上の金属層の厚みは０．１μｍから２５μｍの範囲でありかつ面重量は５０ｇ／ｍ２未満であり、
前記被覆されたシート材料に隣接させて樹脂が染み込んでいる繊維強化材の層を少なくとも１層位置させ、ただし前記繊維強化材はポリ−パラフェニレンテレフタルアミドをベースとするアラミド繊維、グラスファイバー、石英、炭素およびグラファイトから成る群より選択した繊維でつくられている、そして
前記被覆されたシート材料と前記少なくとも１層に圧力と熱をかけることで積層パネルを生じさせる、
ことを含んで成る製造方法。
【請求項４】
更に前記被覆されたシート材料に隣接して位置させた前記層の上に樹脂が染み込んでいる繊維強化材の追加的層を複数位置させることも含んで成る請求項３記載の製造方法。
【請求項５】
更に圧力と熱をかける前に複数の被覆されたシート材料と樹脂が染み込んでいる繊維強化材の複数の層を交互に重ねることも含んで成る請求項３記載の製造方法。
【請求項６】
前記少なくとも１層が一方向炭素繊維を含有して成る請求項３記載の製造方法。
【請求項７】
前記金属もしくは金属合金がアルミニウム、銅、銀、ニッケル、パラジウム、錫、金またはこれらの組み合わせの中の１つである請求項３記載の製造方法。
【請求項８】
前記繊維強化材に染み込ませる樹脂をエポキシ、ビスマレイミド、フェノール樹脂、シアン酸エステルおよびポリイミドから選択する請求項３記載の製造方法。
【請求項９】
前記金属もしくは金属合金の被覆層の厚みを０．５μｍから２μｍの範囲にする請求項３記載の製造方法。
【請求項１０】
前記金属もしくは金属合金の面重量を５ｇ／ｍ２未満にする請求項３記載の製造方法。
【請求項１１】
前記シート材料が織布または不織ベールの中の１つである請求項３記載の製造方法。
【請求項１２】
請求項３の方法によって製造された積層パネル。